(57)【要約】【課題】汎用ＬＥＤの採用を可能にしてコストを抑制しつつ、ＬＥＤ照明の外部に放出される青紫光線を低減したＬＥＤ照明装置を提供する。【解決手段】筐体１と、透光カバー２と、筐体１及び透光カバー２によって包囲される空間ＳＰ内に配置されるＬＥＤ３ａ及びＬＥＤ３ａが実装された基板３と、ＬＥＤ３ａから透光カバー２を介して外部に放出される光の経路Ｌｉに配置され且つＬＥＤ３ａとは別の部材であって波長３８０〜４９５ｎｍ（ナノメートル）の光を減衰する光減衰部材４と、を有する。【選択図】図１
0003182629.tif 000002
【実用新案登録請求の範囲】
【請求項１】
筐体と、
透光カバーと、
前記筐体及び前記透光カバーによって包囲される空間内に配置されるＬＥＤ及びＬＥＤが実装された基板と、
前記ＬＥＤから前記透光カバーを介して外部に放出される光の経路に配置され且つ前記ＬＥＤとは別の部材であって波長３８０〜４９５ｎｍの光を減衰する光減衰部材とを、備えるＬＥＤ照明装置。
【請求項２】
前記光減衰部材は、板状の透光部材であり、前記ＬＥＤを覆うように前記基板に取付けられている請求項１に記載のＬＥＤ照明装置。
【請求項３】
前記光減衰部材は、前記透光カバーの内面に塗装されている請求項１に記載のＬＥＤ照明装置。
【請求項４】
前記光減衰部材は、前記透光カバーと一体成形されている請求項１に記載のＬＥＤ照明装置。
【請求項５】
前記光減衰部材は、可撓性を有するシート状をなし、前記透光カバーの内面に接着されている請求項１に記載のＬＥＤ照明装置。
【請求項６】
請求項１〜５のいずれかに記載のＬＥＤ照明装置であって、前記透光カバーは部分球状をなし、前記ＬＥＤは、電球ソケットにねじ込み可能な形状の電極部を介して電力の供給を受けるように構成されている、電球型のＬＥＤ照明装置。
【請求項７】
請求項１〜５のいずれかに記載のＬＥＤ照明装置であって、前記透光カバーが筒状をなし、前記ＬＥＤは前記透光カバーの内部を軸方向に沿って複数配列されている、直管型のＬＥＤ照明装置。
【請求項８】
請求項１〜５のいずれかに記載のＬＥＤ照明装置であって、前記筐体及び前記透光カバーが偏平形状をなす、シーリング型のＬＥＤ照明装置。
【請求項９】
前記光減衰部材は、波長４９０ｎｍ近傍領域の光の減衰率をその周辺領域の光の減衰率よりも高く設定している請求項１〜８のいずれかに記載のＬＥＤ照明装置。
【考案の詳細な説明】
【技術分野】
【０００１】
本考案は、ＬＥＤ（発光ダイオード）を光源とするＬＥＤ照明装置に関する。
【背景技術】
【０００２】
近年、例えば特許文献１に示すように、ＬＥＤ（発光ダイオード）を光源とするＬＥＤ照明装置が普及しつつある。ＬＥＤ照明装置には、種々の形状があり、例えば透光カバーが部分球状をなす電球型、透光カバーが筒状をなす直管型、天井に取付けられ透光カバーが偏平形状をなすシーリング型などが挙げられる。
【先行技術文献】
【特許文献】
【０００３】
【特許文献１】実用新案登録第３１７４４０１号公報
【考案の概要】
【考案が解決しようとする課題】
【０００４】
ＬＥＤ照明装置は、消費電力が少なく節電に効果的であることから急速に普及しつつあるが、ＬＥＤから放出される光には青紫光線が含まれる。青紫光線は、可視領域内の３８０〜４９５ｎｍ（ナノメートル）の波長の光であり、可視光線であることから照明に必要不可欠の光であるものの、可視光線中で最もエネルギーが強く、目の奥の網膜まで達することから、人体に影響を与えるおそれがあるという考え方が指摘されている。
【０００５】
さらに、夜間に青紫光線を見続けることは、サーカディアンリズム（昼夜の体内リズム）を狂わす原因の一つになり得るという考え方も指摘されている。
【０００６】
青紫光線を低減するアプローチの一つとして、青紫光線の発光を抑えるようにＬＥＤを開発することが考えられるが、コストが増大してしまうことが考えられる。
【０００７】
本考案は、このような課題に着目してなされたものであって、その目的は、汎用ＬＥＤの採用を可能にしてコストを抑制しつつ、ＬＥＤ照明の外部に放出される青紫光線を低減したＬＥＤ照明装置を提供することである。
【課題を解決するための手段】
【０００８】
本考案は、かかる目的を達成するために、次のような手段を講じたものである。
【０００９】
すなわち、本考案のＬＥＤ照明装置は、筐体と、透光カバーと、前記筐体及び前記透光カバーによって包囲される空間内に配置されるＬＥＤ及びＬＥＤが実装された基板と、前記ＬＥＤから前記透光カバーを介して外部に放出される光の経路に配置され且つ前記ＬＥＤとは別の部材であって波長３８０〜４９５ｎｍ（ナノメートル）の光を減衰する光減衰部材とを、備える。
【００１０】
この構成によれば、光減衰部材によって青紫光線を有効に低減できることができる。それでいて、光減衰部材は、ＬＥＤとは別体であるので、汎用ＬＥＤの採用を可能にしてコストを抑制することが可能となる。
【００１１】
本考案の一構成として、前記光減衰部材は、板状の透光部材であり、前記ＬＥＤを覆うように前記基板に取付けられていることが挙げられる。
【００１２】
本考案の一構成として、前記光減衰部材は、前記透光カバーの内面に塗装されていることが挙げられる。
【００１３】
本考案の一構成として、前記光減衰部材は、前記透光カバーと一体成形されていることが挙げられる。
【００１４】
本考案の一構成として、前記光減衰部材は、可撓性を有するシート状をなし、前記透光カバーの内面に接着されていることが挙げられる。
【００１５】
上記ＬＥＤ照明装置の好適な適用例としては、上記ＬＥＤ照明装置であって、前記透光カバーは部分球状をなし、前記ＬＥＤは、電球ソケットにねじ込み可能な形状の電極部を介して電力の供給を受けるように構成されている、電球型のＬＥＤ照明装置が挙げられる。
【００１６】
上記ＬＥＤ照明装置の好適な適用例としては、上記ＬＥＤ照明装置であって、前記透光カバーが筒状をなし、前記ＬＥＤは前記透光カバーの内部を軸方向に沿って複数配列されている、直管型のＬＥＤ照明装置が挙げられる。
【００１７】
上記ＬＥＤ照明装置の好適な適用例としては、上記ＬＥＤ照明装置であって、前記筐体及び前記透光カバーが偏平形状をなす、シーリング型のＬＥＤ照明装置が挙げられる。
【００１８】
人の眼で識別しにくい波長の光を重点的にカットして自然な色をゆがめることなく、青紫光線を適切に減衰させるためには、前記光減衰部材は、波長４９０ｎｍ近傍領域の光の減衰率をその周辺領域の光の減衰率よりも高く設定することが好ましい。
【考案の効果】
【００１９】
本考案は、以上説明したように、光減衰部材によって青紫光線を有効に低減できると共に、光減衰部材がＬＥＤとは別体であるので、汎用ＬＥＤの採用を可能にしてコストを抑制することが可能となる。
【図面の簡単な説明】
【００２０】
【図１】本考案の一実施形態に係るＬＥＤ照明装置を模式的に示す断面図。
【図２】ＬＥＤ照明装置の分解図。
【図３】光減衰部材の透過率に関する説明図。
【図４】本考案の他の実施形態に係るＬＥＤ照明装置を模式的に示す断面図。
【図５】本考案の上記以外の実施形態に係るＬＥＤ照明装置を模式的に示す断面図。
【考案を実施するための形態】
【００２１】
以下、本考案の一実施形態を、図面を参照して説明する。
【００２２】
本実施形態のＬＥＤ照明装置は、いわゆる電球型のＬＥＤ照明装置である。図１は、照明装置の模式断面図である。図２は、照明装置の分解図である。図１及び図２に示すように、筐体１と、透光カバー２と、ＬＥＤ３ａ及びＬＥＤ３ａが実装された基板３と、光減衰部材４とを有する。電球型のＬＥＤ照明装置では、筐体は、ほぼ円錐状の筐体本体１ａと、筐体本体１ａの下端部に設けられる電極部１ｂとを有する。電極部１ｂは、電球ソケットにねじ込み可能な形状に形成されている。基板３は、円盤状をなし筐体にネジ等の締着具（図示せず）で固定されている。ＬＥＤ３ａは、基板３に格子状に複数実装され、ＬＥＤ発光を制御する電子部５及び電極部１ｂを介して外部から電力供給を受けて発光する。透光カバー２は、部分球状に形成された樹脂で、半透明且つ光を拡散する磨りガラスのような材質で成形されている。透光カバー２は、筐体１に取付けられて、筐体１及び透光カバー２によって形成される空間ＳＰ内にＬＥＤ３ａ及び基板３を収容する。
【００２３】
光減衰部材４は、ＬＥＤ３ａとは別の板状の透光部材であり、波長３８０〜４９５ｎｍ（ナノメートル）の光を減衰し且つ他の波長の光を透過する素材で構成されている。具体的には、株式会社アイ・シー・ジャパン販売、イタリア共和国Intercast Europe s.r.l.社製造の製品名「ＰＳＳ１０００  ＨＣＤ」を用いている。勿論、波長３８０〜４９５ｎｍの光を減衰させる部材であればこれに限定されない。本実施形態の光減衰部材４は、複数のＬＥＤ３ａを覆うように基板にネジ等の締着具（図示せず）で取付けられている。すなわち、図１で想像線で示すように、ＬＥＤ３ａから透光カバー２を介して外部に放出される光の経路Ｌｉに光減衰部材４が配置される。
【００２４】
図３は、ＬＥＤから発光される光と、光減衰部材４の透過率とを表す図である。図示される通り、波長３８０〜４９５ｎｍの光を有効に減衰できることがわかる。特に、光減衰部材４では、図３に示すように、人の眼が識別しにくい波長４９０ｎｍ近傍領域の光の減衰率をその周囲領域の光の減衰率よりも高く設定し、これにより波長４９０ｎｍ近傍領域を重点的に減衰するようにしている。さらに、人の眼が識別しにくい波長５８０ｎｍ近傍領域の光の減衰率をその周囲領域の光の減衰率よりも高く設定し、波長５８０ｎｍ近傍領域を重点的に減衰するようにしている。なお、青紫光線の減衰という意味では、波長４９０ｎｍ近傍領域の光を重点的に減衰できればよく、波長５８０ｎｍ近傍領域の減衰は任意に設定可能である。
【００２５】
以上のように、本実施形態のＬＥＤ照明装置は、筐体１と、透光カバー２と、筐体１及び透光カバー２によって包囲される空間ＳＰ内に配置されるＬＥＤ３ａ及びＬＥＤ３ａが実装された基板３と、ＬＥＤ３ａから透光カバー２を介して外部に放出される光の経路Ｌｉに配置され且つＬＥＤ３ａとは別の部材であって、波長３８０〜４９５ｎｍ（ナノメートル）の光を減衰する光減衰部材４と、を備える。
【００２６】
この構成によれば、光減衰部材４によって青紫光線を有効に低減できることができる。それでいて、光減衰部材４は、ＬＥＤ３ａとは別体であるので、汎用ＬＥＤの採用を可能にしてコストを抑制することが可能となる。
【００２７】
特に、本実施形態では、光減衰部材４は、板状の透光部材であり、ＬＥＤ３ａを覆うように基板３に取付けられている。この構成によれば、既存の一般的なＬＥＤ照明装置を採用することができ、製造コストを更に抑制することが可能となる。
【００２８】
さらに、本実施形態では、透光カバー２は部分球状をなし、ＬＥＤ３ａは、電球ソケットにねじ込み可能な形状の電極部１ｂを介して電力の供給を受けるように構成されている。このように本考案のＬＥＤ照明装置は、電球型ＬＥＤに採用するのが好適である。
【００２９】
さらに、本実施形態では、光減衰部材４は、波長４９０ｎｍ近傍領域の光の減衰率をその周辺領域の光の減衰率よりも高く設定しているので、人の眼で識別しにくい波長４９０ｎｍの光を重点的に減衰させ、自然な光をゆがめることなく、青紫光線を適切に減衰させることが可能となる。
【００３０】
以上、本考案の実施形態について図面に基づいて説明したが、具体的な構成は、これらの実施形態に限定されるものでないと考えられるべきである。本考案の範囲は、上記した実施形態の説明だけではなく請求の範囲によって示され、さらに請求の範囲と均等の意味および範囲内でのすべての変更が含まれる。
【００３１】
例えば、本実施形態では、光減衰部材が、板状の透光部材であるが、例えば図４に示すように、透光カバー２の内面に光減衰部材１０４を形成してもよい。透光カバー２の内面に光減衰部材１０４を形成する方法としては、光減衰部材１０４を吹付け等により塗布する方法や、可撓性を有するシート状の光減衰部材１０４を接着することが挙げられる。
【００３２】
さらに、透光カバー２の材料に光減衰部材を練り込み、光減衰部材と透光カバー２とを一体成形してもよい。
【００３３】
本実施形態のＬＥＤ照明装置は、電球型ＬＥＤ照明装置であるが、図５（ａ）に示すように、本考案は、筐体２０１及び透光カバー２０２が偏平形状をなすシーリング型のＬＥＤ照明装置にも適用可能である。この照明装置においても、ＬＥＤを覆う位置に光減衰部材２０４が取り付けてある。
【００３４】
また、図５（ｂ）に示すように、本考案は、透光カバー３０２が筒状をなし、ＬＥＤ３ａは透光カバー３０２の内部を軸方向Ｃに沿って複数配列されている、直管型のＬＥＤ照明装置にも適用可能である。この照明装置においても、ＬＥＤを覆う位置に光減衰部材３０４が取り付けてある。
【００３５】
なお、各部の具体的な構成は、上述した実施形態のみに限定されるものではなく、本考案の趣旨を逸脱しない範囲で種々変形が可能である。
【符号の説明】
【００３６】
１…筐体
２…透光カバー
３ａ…ＬＥＤ
３…基板
４…光減衰部材
【図１】
0003182629.tif 000003
【図２】
0003182629.tif 000004
【図３】
0003182629.tif 000005
【図４】
0003182629.tif 000006
【図５】
0003182629.tif 000007